(57)【要約】　　　（修正有）【課題】石製の灯籠に異質の材質で形成された透明部材を容易に着脱自在か開閉自在に取り付ける。【解決手段】石製の灯籠本体１に開口させた窓部１ａと、窓部と同形状に内側縁部２ａを形成した窓枠本体２と、窓枠本体の内側縁部の上辺と下辺とに一体に延設させ直角に折曲させた固定片３と、又は、窓枠本体の上辺と下辺との枠部に形成した係着用孔２ｃと、係着用孔に係着させるためにコ字状に折曲させた固定片と、固定片に形成した弾性体捲着杆３ａと、弾性体捲着杆に捲着させ基端を固定片に固定し先端を窓部を常時挟着するように弾性を付与する弾性体４とを備えた。【選択図】　図２
0003098210.tif 000002
【実用新案登録請求の範囲】
【請求項１】
円筒状の石製の灯籠本体の側面に開口させた矩形状の窓部と、該窓部と同形状に内側縁部を形成した若干巾の枠部を有した窓枠本体と、該窓枠本体の内側縁部の上辺と下辺との内側に一体に夫々延設させ中方向に直角に折曲させた夫々の固定片と、該夫々の固定片の先端に窓枠本体と平行方向に形成した棒状の弾性体捲着杆と、該夫々の弾性体捲着杆に捲着させると共に基端を前記固定片に固定し先端を前記窓部の開口辺を常時挟着するように弾性を付与する夫々の弾性体とを備えたことを特徴する灯籠の窓枠取付構造。
【請求項２】
円筒状の石製の灯籠本体の側面に開口させた矩形状の窓部と、該窓部と同形状に内側縁部を形成した若干巾の枠部を有した窓枠本体と、該窓枠本体の内側縁部の上辺と下辺との枠部に夫々形成した夫々の係着用孔と、該夫々の係着用孔に基端を係着させるために基端辺をコ字状に折曲させた夫々の固定片と、該夫々の固定片の先端に窓枠本体と平行方向に形成した棒状の弾性体捲着杆と、該夫々の弾性体捲着杆に捲着させると共に基端を前記固定片に固定し先端を前記窓部の開口辺を常時挟着するように弾性を付与する夫々の弾性体とを備えたことを特徴する灯籠の窓枠取付構造。
【考案の詳細な説明】
【０００１】
【考案の属する技術分野】
本考案は灯籠の窓枠取付構造に関するものであり、更に、詳細には、円筒状の石製の灯籠本体の窓部に透明部材であるガラスや合成樹脂の異質部材の取り付けを容易に可能とした灯籠の窓枠取付構造に関するものである。
【０００２】
【従来技術】
従来、この種のお墓等に載置する灯籠は中に蝋燭で灯明を点火させることから、灯明が見えるように窓部を必要とするものであるが、窓部が開口状態では風によって火が消えてしまうことから、透明部材によるカバーによって覆っており、この場合、蝋燭の補充等の時にはカバーを取り外すか解放状態にしなければならなく、石製の灯籠に異質の材質のガラスや合成樹脂で形成された透明部材を着脱自在か開閉自在に取り付ける必要があるため、石やガラス、硬質の合成樹脂への穿設加工や切削加工、研削加工、付設等は手間暇と細心の注意を必要とし、その取り付けに苦渋を呈している実情である。
【０００３】
その為に、風防板に弾性体からなる係止片を設け、この係止片を開口部の周縁部に圧接させることにより、開口部の閉鎖状態が保たれるように風防板を灯籠本体に取り付けたもの（特許文献１参照）や、透明なプラスチックより形成された覆い部材の上方と下方に夫々爪を設けて、上方の爪は灯籠に穿設した係合穴に差し込み、下方の爪は窓部の下枠に掛けたもの（特許文献２参照）や、扉をヒンジ部を介して取り付けて開閉できるようにしたもの（特許文献３参照）が開示されている。
【０００４】
【特許文献１】
登録実用新案第３０２８９６２号公報（第１図）
【特許文献２】
実開平５−７１３６８号公報（第２図）
【特許文献３】
特開２００２−２５０１５１号公報（第１図）
【０００５】
【解決しようとする課題】
然し乍ら、風防板に弾性体からなる係止片を設け、この係止片を開口部の周縁部に圧接させることにより、開口部の閉鎖状態が保たれるように風防板を灯籠本体に取り付けたものでは、透明のアクリル等のプラスチック材等の風防板に弾性体から成る係止片を設けているものであるが、風防板に貫通孔を穿設して、該貫通孔にビスを貫通させてナットを螺合することで係止片を固定しており、この場合、風防板の上下辺に係合するために係合用部材を形成すると共に、風防板への貫通孔の穿設、及び、ビス、ナット等のパーツ等の調達、取り付け等手間暇係る複雑な作業をしなければ成らないものである。
【０００６】
更に、透明なプラスチックより形成された覆い部材の上方と下方に夫々爪を設けて、上方の爪は灯籠に穿設した係合穴に差し込み、下方の爪は窓部の下枠に掛けたものでは、覆い部材の上方と下方に夫々一体か別部材で爪を形成しなければ成らず、加えて、石材の灯籠の上方には爪を差し込むための係合穴を穿設しなければならないものであった。
【０００７】
更には、扉をヒンジ部を介して取り付けて開閉できるようにしたものは、扉の風防カバーにヒンジ部を備えた開閉構造部を形成しなければ成らず、何れの場合も、加工や部品が増えるものであり、つまり、石製の灯籠の窓部に金属製の窓枠を容易に取り付けることが可能とすれば、プラスチックやガラスの風防部材を金属製の窓枠に取り付けることは容易に行えるものである。
【０００８】
【課題を解決するための手段】
本考案は上述の課題に鑑み、鋭意研錯の結果、請求項１に記載の灯籠の窓枠取付構造は、円筒状の石製の灯籠本体の側面に開口させた矩形状の窓部と、窓部と同形状に内側縁部を形成した若干巾の枠部を有した窓枠本体と、窓枠本体の内側縁部の上辺と下辺とに一体に延設させ直角に折曲させた固定片と、固定片の先端に形成した棒状の弾性体捲着杆と、弾性体捲着杆に捲着させると共に基端を固定片に固定し先端を窓部の開口辺を常時挟着するように弾性を付与する弾性体とを備えたものである。
【０００９】
更に、請求項２に記載の灯籠の窓枠取付構造は、円筒状の石製の灯籠本体の側面に開口させた矩形状の窓部と、窓部と同形状に内側縁部を形成した若干巾の枠部を有した窓枠本体と、窓枠本体の内側縁部の上辺と下辺との枠部に形成した係着用孔と、係着用孔に基端を係着させるために基端辺をコ字状に折曲させた固定片と、固定片の先端に形成した棒状の弾性体捲着杆と、弾性体捲着杆に捲着させると共に基端を固定片に固定し先端を窓部の開口辺を常時挟着するように弾性を付与する弾性体とを備えたものである。
【００１０】
【作用】
本考案の灯籠の窓枠取付構造は、石製の灯籠本体に開口させた窓部と同形状に形成した内側縁部を有した窓枠本体の上辺と下辺との内側に一体に固定片を延設すると共に中方向に直角に折曲させ、又は、窓枠本体の上辺と下辺とに形成した係着用孔に基端を係着させるためにコ字状に折曲させた固定片を形成し、固定片の先端に形成した弾性体捲着杆に捲着させると共に基端を固定片に固定し先端を窓部の開口辺を常時挟着するように弾性を付与するように弾性体を備えたことによって、透明部材であるガラスや合成樹脂等を取り付けた金属製の窓枠本体を容易に且つ着脱可能に石製の灯籠の窓部に取り付けられるものである。
【００１１】
従って、本考案の目的は、加工が困難な石製の灯籠本体と透明部材であるガラスや合成樹脂とには殆ど加工を施すことなく、容易に石製の灯籠本体に異質の透明部材であるガラスや合成樹脂を組付けた金属製の窓枠本体を取り付けられる灯籠の窓枠取付構造を提供するものである。
【００１２】
【考案の実施の形態】
斯る目的を達成した本考案の灯籠の窓枠取付構造の実施の形態を以下の図面によって説明する。
【００１３】
図１は本考案の灯籠の窓枠取付構造の実施の形態の灯籠の正面図であり、図２は本考案の灯籠の窓枠取付構造の実施の形態の窓枠本体の斜視図であり、図３は本考案の灯籠の窓枠取付構造の実施の形態の要部断面説明図であり、図４は本考案の灯籠の窓枠取付構造の次実施の形態の要部断面説明図である。
【００１４】
本考案は灯籠の窓枠取付構造に関するものであり、更に、詳細には、円筒状の石製の灯籠本体１の窓部１ａに透明部材（図示しない）であるガラスや合成樹脂の異質部材の取り付けを容易に可能とした灯籠の窓枠取付構造に関するものであり、請求項１に記載の灯籠の窓枠取付構造は、円筒状の石製の灯籠本体１の側面に開口させた矩形状の窓部１ａと、該窓部１ａと同形状に内側縁部２ａを形成した若干巾の枠部２ｂを有した窓枠本体２と、該窓枠本体２の内側縁部の上辺と下辺との内側に一体に夫々延設させ中方向に直角に折曲させた夫々の固定片３と、該夫々の固定片３の先端に窓枠本体２と平行方向に形成した棒状の弾性体捲着杆３ａと、該夫々の弾性体捲着杆３ａに捲着させると共に基端を前記固定片に固定し先端を前記窓部の開口辺を常時挟着するように弾性を付与する夫々の弾性体４とを備えたものである。
【００１５】
更に、請求項２に記載の灯籠の窓枠取付構造は、円筒状の石製の灯籠本体１の側面に開口させた矩形状の窓部１ａと、該窓部１ａと同形状に内側縁部２ａを形成した若干巾の枠部２ｂを有した窓枠本体２と、該窓枠本体２の内側縁部２ａの上辺と下辺との枠部２ｂに夫々形成した夫々の係着用孔２ｃと、該夫々の係着用孔２ｃに基端を係着させるために基端辺をコ字状に折曲させた夫々の固定片３と、該夫々の固定片３の先端に窓枠本体２と平行方向に形成した棒状の弾性体捲着杆３ａと、該夫々の弾性体捲着杆３ａに捲着させると共に基端を前記固定片３に固定し先端を前記窓部１ａの開口辺を常時挟着するように弾性を付与する夫々の弾性体４とを備えたものである。
【００１６】
即ち、本考案の灯籠の窓枠取付構造の灯籠本体１は、通常、お墓等の両側に載置する一対のもので、高級感を醸し出すために石製で作られた円筒状又は有底円筒状のもので、内部の下方には蝋燭を立てるための蝋燭立台を備えており、上方の開口は傘部で閉蓋しているものである。
【００１７】
そして、窓部１ａは円筒状の灯籠本体１の側面に矩形状に且つ比較的大きく開口させたものであり、蝋燭立台に立てた蝋燭に点火した灯明で外を照らしたり外部から灯明を目視するためのものであり、更には、点灯する蝋燭を補充したりするためのものである。
【００１８】
次いで、窓枠本体２は窓部１ａと同形状の内側縁部２ａを形成し若干巾の枠部２ｂを有して金属で形成された矩形状のものであり、窓枠本体２には図示していないが透明部材であるガラスや合成樹脂を組付けものである。
【００１９】
つまり、加工が比較的容易な金属の窓枠本体２に透明部材を組付けて灯籠本体１の窓部１ａに取り付けるもので、透明部材と窓枠本体２との組付けは例えば窓枠本体２に複数の爪を突設して、爪を湾曲させることで容易に透明部材を組付けることも、窓枠本体２を二重構造として、外側の窓枠に透明部材を組み付けると共に、窓枠本体２と窓枠とはヒンジを介して開閉自在に取り付けたりすることも容易に可能なものである。
【００２０】
次に、固定片３は図３に図示する如く窓枠本体２の内側縁部２ａの上辺と下辺との中央辺の内側に一体に夫々延設させているもので、更に、中方向に直角に折曲させているものであり、先端には後述する弾性体捲着杆３ａを形成するものである。
【００２１】
次には、弾性体捲着杆３ａは窓枠本体２の内側縁部２ａの上辺と下辺から延設し中方向に直角に折曲させている固定片３の先端に窓枠本体２と平行方向に棒状に形成しているもので、実施の形態では固定片３の先端に橋渡片を延設し、更に、橋渡片の先端に両側に突出させた棒状の弾性体捲着杆３ａを形成しているもので、後述する弾性体４を捲着するものである。
【００２２】
更に、弾性体４は線状のスプリングであり、コ字状に形成した弾性体４の両側の中程を固定片の先端に形成した弾性体捲着杆３ａに捲着させると共に、両端の基端は固定片３に固定しており、先端はコ字状のまま灯籠本体１の窓部１ａの開口辺に当接させることで、枠部２ｂと弾性体４とで窓部１ａの開口辺を常時挟着するように弾性を付与しているものである。
【００２３】
更には、本考案の灯籠の窓枠取付構造の次実施の形態では、図４に図示する如く、枠部２ｂと固定片３を別部材で形成したものであり、窓枠本体２の上辺と下辺とに夫々係着用孔２ｃを形成しているもので、係着用孔２ｃには後述する固定片３の基端を挿通させるものである。
【００２４】
そして、固定片３は基端辺を側面コ字状に折曲させているものであり、基端は係着用孔２ｂに挿通させると共に、先端側を窓枠本体２の内側縁部２ａと窓部１ａの開口に沿って内方に配設しているものであり、弾性体捲着杆３ａ及び弾性体４等、他の部分、及び、作用効果等は前述の実施の形態と同じなので詳述は省略するものである。
【００２５】
本考案の灯籠の窓枠取付構造は、灯籠本体１の窓部１ａに窓枠本体２に設けた固定片３を挿通させることにより弾性体４で窓部１ａの開口辺を挟着させるもので、窓枠本体２を灯籠本体１の窓部１ａに容易に取り付けられることから、窓枠本体２に組み付けられた透明部材を容易に取り付けられるものである。
【００２６】
【考案の効果】
本考案の灯籠の窓枠取付構造は、石製の灯籠本体に開口させた窓部と同形状に形成した内側縁部を有した枠部の上辺と下辺との内側に一体に固定片を中方向に直角に折曲させて延設し、又は、枠部の上辺と下辺とに形成した係着用孔に基端を係着させると共にコ字状に折曲させた固定片を形成し、前記固定片の先端に形成した弾性体捲着杆に捲着させると共に基端を固定片に固定し先端を窓部の開口辺を常時挟着するように弾性を付与するように弾性体を備えたことによって、透明部材であるガラスや合成樹脂等を取り付けた金属製の窓枠本体を容易に且つ着脱自在に石製の灯籠の窓部に取り付けられるものである。
【図面の簡単な説明】
【図１】図１は本考案の灯籠の窓枠取付構造の実施の形態の灯籠の正面図である。
【図２】図２は本考案の灯籠の窓枠取付構造の実施の形態の窓枠本体の斜視図である。
【図３】図３は本考案の灯籠の窓枠取付構造の実施の形態の要部断面説明図である。
【図４】図４は本考案の灯籠の窓枠取付構造の次実施の形態の要部断面説明図である。
【符号の説明】
１　　　灯籠本体
１ａ　　窓部
２　　　枠体本体
２ａ　　内側縁辺
２ｂ　　枠部
２ｃ　　係着用孔
３　　　固定片
３ａ　　弾性体捲着杆
４　　　弾性体
【図１】
0003098210.tif 000003
【図２】
0003098210.tif 000004
【図３】
0003098210.tif 000005
【図４】
0003098210.tif 000006